(57)【要約】【課題】  “ＵＶＡのような長波長の紫外線を出射するＵＶ−ＬＥＤ”を用いた場合であっても、ＯＨラジカルの強い酸化力を利用したセルフクリーニング機構により、より確実に接水表面の殺菌・洗浄を行うことができる水取扱い物品を提供する。【解決手段】  露出表面を有し、当該露出表面の少なくとも一部が液体状態の水と接触し得る接水表面である接水部材を有する物品において、上記接水表面の少なくとも一部を光触媒含有層で構成すると共に、その下地となる部分を紫外線透過性部材で構成し、更に前記光触媒含有層の表面に過酸化水素水等の光触媒作用によってＯＨラジカルを発生する殺菌洗浄液を付着させてから、前記紫外線透過性部材の後方に配置した上記ＵＶ−ＬＥＤ等の紫外線光源から紫外線を出射して前記光触媒含有層を励起し、その露出表面上にＯＨラジカルを発生させて洗浄殺菌をおこなうようにする。【選択図】図１
2018193708.tif 000002
【特許請求の範囲】
【請求項１】
露出表面を有し、当該露出表面の少なくとも一部が液体状態の水と接触し得る接水表面である接水部材と、紫外線出射面を有する紫外線出射手段と、水の共存下における紫外線照射によって分解してヒドロキシルラジカルを生成する物質又はイオンが溶解した水溶液からなる殺菌洗浄液を前記接水表面に付着させることができる殺菌洗浄液供給手段と、を含んでなる物品であって、
前記接水部材の接水表面は、前記紫外線出射手段の紫外線出射面上に配置された第一の光触媒含有層の露出表面で構成される第一の領域を含んでなり、
前記第一の領域では、前記紫外線出射手段の紫外線出射面から出射される紫外線が、前記第一の光触媒含有層の非露出面側から照射される、ことを特徴とする、前記物品。
【請求項２】
前記接水部材の接水表面は、紫外線を出射しない面上に配置された第二の光触媒含有層の露出表面で構成される第二の領域を更に有し、
前記紫外線出射面から出射されて前記第一の光触媒含有層を透過した紫外線、又は前記紫外線出射面から出射されて前記第一の光触媒含有層を透過せずに、そのまま出射された紫外線を、前記第二の領域の第二の光触媒含有層の少なくとも一部の露出面に照射できる、ことを特徴とする、請求項１に記載の物品。
【請求項３】
前記洗浄殺菌液が過酸化水素水である請求項１又は２に記載の物品
【請求項４】
過酸化水素水製造装置を更に含んでなる請求項３に記載の物品。
【請求項５】
前記紫外線出射手段は、２８０ｎｍを越え４００ｎｍ以下の波長領域にピークを有する紫外線を出射する紫外線発光ダイオードを含んでなる紫外線光源を更に有することを特徴とする、請求項１乃至４の何れかに記載の物品。
【請求項６】
前記紫外線光源は、２４０ｎｍ以上２８０ｎｍ以下の波長領域にピークを有する紫外線を出射する紫外線発光ダイオードを更に含んでなることを特徴とする、請求項５に記載の物品。
【請求項７】
前記物品が耐久消費財である、請求項１乃至６のいずれかに記載の物品。
【請求項８】
前記耐久消費財が、水洗トイレ装置、水洗トイレタンク、洗濯機、加湿器、空気調和装置、冷蔵庫、冷凍庫、浄水器、ハンドドライヤー、浴槽、浴室の天井材、壁材および床材、洗面用シンク、流し台シンク、ドレン、排水パン又は排水トラップである、請求項７に記載の物品。
【発明の詳細な説明】
【技術分野】
【０００１】
本発明は、露出表面の少なくとも一部が液体状態の水と接触し得る接水表面となっている、トイレ装置などの水を取り扱う物品に関する。
【背景技術】
【０００２】
トイレ装置などの水を取り扱う物品の多くは、その露出表面の少なくとも一部が液体状態の水と接触し得る接水表面となっている。このような物品（以下、「水取扱い物品」ともいう。）が耐久消費財である場合には、長期にわたって使用されるため、上記接水表面に汚れが付着して蓄積しやすく、また湿潤環境になり易いことに起因して、カビ等の微生物が繁殖しやすいという問題がある。このため、上記接水表面を清浄化するために様々な工夫がなされている。
【０００３】
そのような工夫の一つとして、太陽光などの紫外線を含む光が常時照射されるような場合には、前記接水表面を光触媒物質で構成し、水が光触媒物質に接触した時に起こる光触媒反応によって発生するヒドロキシルラジカル（ＯＨラジカルともいう。）の強い酸化力により汚れの分解や殺菌を行う、所謂セルフクリーング機構を利用する方法が知られている（特許文献１）。
【０００４】
また、室内で使用される機器や、接水表面が装置筺体内に存在し、外部からの光照射が期待できない場合には、前記接水表面を光触媒物質で構成すると共に紫外線ランプなどの紫外線光源を付設し、紫外線を照射できるようにして、上記と同様なメカニズムにより汚れの分解除去や殺菌を行う方法も知られている（特許文献２）。
【０００５】
さらに、殺菌効果を有する洗浄液を前記接水表面に噴霧して殺菌・洗浄を行う技術も知られている。たとえば、トイレ装置の便器を清潔に保つために便器のボウル部へ次亜塩素酸水などの機能水を噴霧するもの、更にはトイレ装置に紫外線を照射する光源装置を付設し、紫外線の照射中にあるいは前記紫外線の照射が終了してから所定時間内に、前記機能水又は殺菌水を噴霧するもの（特許文献３参照）が知られている。
【０００６】
そして、上記特許文献３に記載されたトイレ装置によれば、光源装置の発熱によって生じる空気の流れを利用して、噴霧手段から噴霧された機能水又は殺菌水を例えば便器の後部のリム部の裏面にまでより行きわたらせることができ、便器のボウル部の略全面をより清潔に維持することができるとされている。
【０００７】
なお、特許文献３において使用される機能水又は殺菌水としては、殺菌水生成装置で水道水を電気分解して得られる次亜塩素酸水が使用されている。
【０００８】
さらに、特許文献３に記載されているトイレ装置では、前記ボウル部の表面に光触媒層を形成し、該光触媒層に紫外線を照射することによって周囲の水や酸素などにより活性酸素を発生させ、ボウル部表面を親水化して前記機能水又は殺菌水をボウル部表面に濡れ広がるようにしている。
【０００９】
【特許文献１】特開２０１１−２１３９６号公報
【特許文献２】特開２０１４−１６３２０３号公報
【特許文献３】特開２０１４−１６３１６２号公報
【特許文献４】特開平１０−０８５６０６号公報
【特許文献５】特開２０１６−０４９５１８号公報
【特許文献６】特開２０１６−０４９５１９号公報
【特許文献７】特開２０１６−０５０２９１号公報
【特許文献８】特許第４９６７９７１号公報
【特許文献９】特開１０−２３７９２８号公報
【非特許文献１】水環境学会誌  第２２巻  第１１号  ９１０−９１５  １９９９年
【非特許文献２】野坂芳雄、「光触媒反応におけるＯＨラジカルの生成と寄与」、第３５回光がかかわる触媒化学シンポジウム講演要旨集  （総合１）  ２０１６年６月１０日
【発明の概要】
【発明が解決しようとする課題】
【００１０】
光触媒を用いたセルフクリーニング機構を利用する場合には、励起光を光触媒に照射する必要がある。励起光としては、紫外線を含む自然光が一般的であるが、自然光を利用できない場合には、前記したように紫外線光源を設置する必要がある。ところが、水取扱い物品によっては、その内部構造の関係から紫外線光源の設置位置が限られてしまうことが多く、浄化したいところに紫外線を照射できない場合も多い。また、紫外線照射が可能な場合であっても、光触媒作用によるＯＨラジカルの発生は、光触媒表面上に限られるため、光触媒が存在しない表面や空間雰囲気（空間を満たす空気や貯留された水など）について殺菌・洗浄を行うことはできない。更に、ＯＨラジカルの寿命は極めて短いことが知られており、殺菌・洗浄効果が得られる時間は、紫外線が照射されている時間内に限られてしまう。
【００１１】
このように、光触媒を用いたセルフクルーニング機構には、適用可能な領域や時間が大きく制約される、別言すれば、光触媒が存在し且つ紫外線照射が可能な領域で、実際に紫外線が照射されている間しか殺菌・洗浄を行うことができないという問題がある。
【００１２】
特許文献３に記載された方法のように、次亜塩素酸水のような殺菌効果を有する洗浄液を併用すれば、洗浄液と接触する部分の殺菌・洗浄は可能になるが、水道水を電気分解して得た次亜塩素酸水は一般に濃度が薄く、その酸化力はＯＨラジカルに比べて弱い。
【００１３】
一方、紫外線光源に目を転じてみると、紫外線発光ダイオード（以下、ＵＶ−ＬＥＤと略記することもある。）は、小型、省電力、長寿命、水銀を使用しない、瞬時の点灯・消灯が可能である、といった優れた特徴を有することから紫外線ランプに代わる紫外線光源として注目されている。しかし、比較的安価で入手も容易な“長波長の紫外線（例えばＵＶＡ）を出射するＵＶ−ＬＥＤ”は、所謂殺菌線と呼ばれる紫外線殺菌効果の高い波長の紫外線を出射できないこと、さらにそのエネルギー（波長に反比例する）の低さに起因して、光反応の原動力としての効果も低いことから、その実用的利用は限られているのが現状である。
【００１４】
そこで本発明は、紫外線光源として“ＵＶＡのような長波長の紫外線を出射するＵＶ−ＬＥＤ”を用いた場合であっても、ＯＨラジカルの強い酸化力を利用したセルフクリーニング機構により、より確実に接水表面の殺菌・洗浄を行うことができる水取扱い物品を提供することを課題とする。
【課題を解決するための手段】
【００１５】
本発明者は、光触媒を用いずにＯＨラジカルを発生させる方法として、過酸化水素水などの“水の共存下における紫外線照射によって分解してＯＨラジカルを生成する物質又はイオンが溶解した水溶液”に紫外線を照射する方法が知られていることに着目した。そして、接水表面に有効に紫外線を照射することができれば、接水表面に上記水溶液からなる殺菌洗浄液を付着させて紫外線照射することにより上記課題を解決できると考え、検討を行った。その結果、接水表面に有効に紫外線を照射することができる方法を見出すことに成功し、すでに提案を行っている。
【００１６】
ところが、エネルギーの低い長波長の紫外線を用いた場合には、所期の効果を得ることができない場合があるという新たな問題があることが判明した。
【００１７】
そこで、本発明者は、上記新たな課題を解決すべく、更に検討を行い、上記水溶液は光触媒作用によってもＯＨラジカルを発生できるという知見を得（非特許文献２参照。）、本発明を完成するに至った。
【００１８】
すなわち、本発明は、露出表面を有し、当該露出表面の少なくとも一部が液体状態の水と接触し得る接水表面である接水部材と、紫外線出射面を有する紫外線出射手段と、水の共存下における紫外線照射によって分解してヒドロキシルラジカルを生成する物質又はイオンが溶解した水溶液からなる殺菌洗浄液を前記接水表面に付着させることができる殺菌洗浄液供給手段と、を含んでなる物品であって、前記接水部材の接水表面は、前記紫外線出射手段の紫外線出射面上に配置された第一の光触媒含有層の露出表面で構成される第一の領域を含んでなり、前記第一の領域では、前記紫外線出射手段の紫外線光出射面から出射される紫外線が、前記第一の光触媒含有層の非露出面側から照射される、ことを特徴とする、前記物品である。
【００１９】
ここで、本発明の物品に含まれる前記接水部材の数は１つであっても複数であっても構わない。また、複数の接水部材を有する場合、前記第一の領域は、１つの接水部材のみに存在してもよく、２以上の接水部材に存在してもよい。さらに、１つの接水部材においても前記第一の領域は、１か所に限らず、互いに独立した複数の箇所に設けられていてもよい。
【００２０】
上記本発明の物品においては、前記接水部材の接水表面は、紫外線を出射しない面上に配置された第二の光触媒含有層の露出表面で構成される第二の領域を更に有し、前記紫外線出射面から出射されて前記第一の光触媒含有層を透過した紫外線、又は前記紫外線出射面から出射されて前記第一の光触媒含有層を透過せずに、そのまま出射された紫外線を、前記第二の領域の第二の光触媒含有層の少なくとも一部の露出面に照射できることが好ましい。このとき、本発明の物品が複数の接水部材を有する場合、第一の領域を有しない接水部材があってもよく、ある接水部材の紫外線出射面から出射され紫外線が他の接水部材の第二の領域の第二の光触媒含有層の露出面に照射されてもよい。
【００２１】
また、これら本発明の物品においては、前記洗浄殺菌液が過酸化水素水であることが好ましく、更に過酸化水素水製造装置を更に含んでなることが好ましい。
【００２２】
また、前記紫外線出射手段は、２８０ｎｍを越え４００ｎｍ以下の波長領域にピークを有する紫外線を出射する紫外線発光ダイオードを含んでなる紫外線光源を更に有することが好ましく、特に、２４０ｎｍを以上２８０ｎｍ以下の波長領域にピークを有する紫外線を出射する紫外線発光ダイオードを含んでなる紫外線光源を更に有することがより好ましい。
【００２３】
本発明の物品は、耐久消費財、特に、水洗トイレ装置、水洗トイレタンク、洗濯機、加湿器、空気調和装置、冷蔵庫、冷凍庫、浄水器、ハンドドライヤー、浴槽、浴室の天井材、壁材および床材、洗面用シンク、流し台シンク、ドレン、排水パン又は排水トラップであることが好ましい。
【００２４】
なお、光触媒を用いた殺菌・分解・洗浄に関しては、（ａ）空気調和装置において、調和した空気中の臭気、細菌、その他の汚染物を酸化分解又は死滅させるために使用する光触媒フィルタについて、光触媒全体に紫外線を照射することができなくても所望の光触媒能力を発揮させる技術（特許文献４）や（ｂ）養殖魚や鑑賞魚などの水生生物の飼育水を殺菌するための紫外線殺照射装置において、光触媒層を有する窓材の裏側から紫外線を照射してセルフクリーニング性を発揮しながら水の紫外線殺菌を行う技術（特許文献５、６及び７）が知られている。しかし、これら技術は、フィルタや紫外線照射装置そのものに関するものであり、光源を配置することができなかった空間に光源を配置するという発想は無い。また、特許文献４、５、６及び７には、これら技術を、空気調和装置のフィルタや水の殺菌装置以外の、上記したような水取扱い物品に適用することに関する記載は存在しない。
【発明の効果】
【００２５】
本発明の物品では、前記紫外線出射手段の紫外線出射面から出射される紫外線を前記第一の光触媒含有層の非露出面側から照射することにより、当該第一の光触媒含有層を確実に励起することができる。そして、前記第一の領域において、前記殺菌洗浄液は、励起状態の第一の光触媒含有層と接触することによりＯＨラジカルを発生するので、ＯＨラジカルの強い酸化力によりこれら接水表面の殺菌および洗浄を行うことができる。このとき、光触媒は、長波長の紫外線によっても励起されるので、結果として長波長の紫外線しか出射できない紫外線光源を用いた場合でも前記殺菌洗浄液からＯＨラジカルを発生させることができる。また、前記殺菌洗浄液を使用することにより、単なる水を光触媒と接触させたときと比べて発生させるＯＨラジカルの濃度を大幅に増大させることができる（非特許文献２参照）。さらに、前記殺菌洗浄液として過酸化水素水のように、紫外線照射や光触媒作用を受けなくても、それ自体が殺菌洗浄力を有する殺菌洗浄液を用いることによって光触媒存在しない接水表面の殺菌洗浄を行うことも可能である。
【００２６】
なお、紫外線によって励起される光触媒の層に対する紫外線透過性については紫外線の波長依存性があり、波長の長い紫外線ほど光触媒に吸収され難く、裏面（背面）照射した時に厚い光触媒の層でも活性化（励起）させ易い非特許文献１参照）。一方、前記殺菌洗浄液に紫外線照射を行った時にＯＨラジカルを発生させる効果は、溶解している前記物質又はイオンの種類にもよるが一般にはエネルギーの高い短波長の紫外線を照射したときの方が高い。  本発明の物品では、上記したように、前記殺菌洗浄液に直接照射した場合にはＯＨラジカル発生効果が低く、また紫外線殺菌効果（紫外線照射によって微生物のＤＮＡを損傷させて繁殖能力を奪うことによる殺菌効果）が期待できない長波長の紫外線を用いてＯＨラジカルを効率的に発生させることができる。したがって、本発明は、紫外線光源として紫外線発光ダイオード（ＵＶ−ＬＥＤ）を使用する場合、安価で入手が容易ではあるが、殺菌用途にはあまり使用されていなかった、“長波長の紫外線（例えばＵＶＡ）を出射するＵＶ−ＬＥＤ”を用いて、高い殺菌洗浄効果を得ることを可能にしたという点で、非常に大きな意義を持つ。
【００２７】
さらに、水取扱い物品の接水表面は流水と接する機会が多いことから、これら流水による流体物理洗浄効果が期待できるが、本発明の物品においては、その流体物理洗浄効果をより高めることができる。なぜならば、ＯＨラジカルによる酸化分解が進行すると、汚れ物質は、より低分子で親水性の高い物質に分解されるため、表面に分解残渣が付着していたとしても、流水により簡単に除去できるようになるからである。すなわち、流水による流体物理洗浄効果が得られる場合、このような相乗効果により、リンスという簡単な工程を付加するだけでより高いセルフクリーニング効果を得ることが可能となる。したがって、本発明の水取扱い物品では、人手による清掃頻度を少なくすることができ、しかも、汚れを落とすためにブラシで激しく擦る必要が無くなり、例えばスポンジなどの柔らかい清掃器具を用いても簡単に汚れを落とすことができる。その結果、表面を傷めることもなくなり、物品や接水部材の長寿命化を図ることもできる。
【００２８】
さらにまた、本発明では、例えばトイレ装置における便器本体の内部や、排水トラップにおける配管や筒状部材の外側、更には中実の部材の内部に新たに設けた空洞など、従来は紫外線光源の設置場所として利用できなかった空間（デッドスペース）に紫外線光源を配置することができるので、紫外線光源配置場所の自由度が高くなるばかりでなく、内部の空間を有効に利用でき、コンパクト化を図ることも可能となる。
【図面の簡単な説明】
【００２９】
【図１】本図は、本発明の物品の一つであるトイレ装置１００を説明するための模式図である。
【図２】本図は、トイレ装置１００で使用可能な、過酸化水素製造装置を用いた殺菌洗浄液供給手段を説明するための模式図である。
【図３】本図は、本発明で好適に使用できる紫外線光源を示す図である。
【図４】本図は、本発明で好適に使用できる他の紫外線光源を示す図である。
【発明を実施するための形態】
【００３０】
本発明の物品は、露出表面を有し、当該露出表面の少なくとも一部が液体状態の水と接触し得る接水表面である接水部材を有する物品（水取扱い物品）である必要がある。これら物品の中でも、効果の有用性が高いという理由から、耐久消費財の範疇に属する物品、すなわち、人の住環境又は生活環境において、人が直接利用する水の供給、水の使用又は排水廃棄のために、比較的長期間にわたって使用される機器、装置、設備等の物品（以下、「生活用水取扱い物品」ともいう。）であることが好ましい。ここで、人が直接利用する水の供給とは、たとえば飲料水や水道水の供給であり、水の使用とは、たとえばトイレの水洗、洗浄、洗顔、洗髪、シャワー、入浴、洗濯、加湿やアイロンかけ用のスチーム発生など、人が水を利用する行為にかかわる水の使用であり、排水廃棄とは、たとえば上記の水の使用の結果発生した排水の他、空気調和機の熱交換器等で発生したドレン、窓や浴室内における結露水などの不要な水の廃棄などである。
【００３１】
本発明における好適な「生活用水取扱い物品」を具体的に例示すれば、水洗トイレ装置、水洗トイレタンク、洗濯機、加湿器、空気調和装置、冷蔵庫、冷凍庫、ハンドドライヤー、浄水器、浴槽、浴室の天井材、壁材および床材、洗面用シンク、流し台シンク、ドレン、排水パン及び排水トラップなどを挙げることができる。
【００３２】
なお、これら物品における接水部材とは、露出表面を有し、当該露出表面の少なくとも一部が液体状態の水と接触し得る接水表面である部材であれば特に限定されず、たとえば、トイレ装置におけるボウル部本体、水洗トイレタンクにおけるタンク本体や手洗いボウル本体、洗濯機における水槽本体や回転ドラム本体などがこれに相当する。当該接水部材は、１つの物品において１又は複数含まれる。
【００３３】
本発明の物品は、前記接水部材と、紫外線出射面を有する紫外線出射手段と、水の共存下における紫外線照射によって分解してヒドロキシルラジカルを生成する物質又はイオンが溶解した水溶液からなる殺菌洗浄液を前記接水表面に付着させることができる殺菌洗浄液供給手段と、を含んでなる物品であって、前記接水部材の接水表面は、前記紫外線出射手段の紫外線出射面上に配置された第一の光触媒含有層の露出表面で構成される第一の領域を含んでなり、前記第一の領域では、前記紫外線出射手段の紫外線出射面から出射される紫外線が、前記第一の光触媒含有層の非露出面側から照射される、ことを特徴とする。
【００３４】
前記特許文献３に記載されているトイレ装置は、次亜塩素酸水溶液のような殺菌洗浄機能を有する機能水を接水表面であるボウル部の表面に付着させる噴霧手段と、ボウル部の表面に紫外線を含む光を照射する光源装置と、を有し、更にボウル部の表面に光触媒膜が形成されている点で本発明の物品と類似している。しかし、その殺菌洗浄のメカニズムは大きく異なっている。すなわち、特許文献３に記載されたトイレ装置では、光触媒膜が形成されたボウル部の表面に対して紫外線を照射し、紫外線の照射が終了してから噴霧ノズルから前記機能水殺菌水を噴霧しており、殺菌および洗浄は、前記機能水が本来有する殺菌洗浄力によって行われている。これに対し、本発明の物品では、ボウル部表面等の接水表面に形成された光触媒層上に過酸化水素水等の殺菌洗浄液を付着させてから、光触媒層の裏面側から紫外線を照射して光触媒を励起し、その光触媒作用によって、接水表面上においてＯＨラジカルを発生させ、その強い酸化力を用いて殺菌及び洗浄が行われる。そして、この時の紫外線照射は光触媒層の下地となる紫外線出射面から出射されるため、その光触媒層に紫外線を確実に照射し、励起することができる。更に、前記紫外線出射面から出射されて前記第一の光触媒含有層を透過した紫外線、又は前記紫外線出射面から出射されて前記第一の光触媒含有層を透過せずに、そのまま出射された紫外線を利用して、紫外線を出射しない面上に配置された第二の光触媒含有層を活性化させて、その表面上の前記殺菌洗浄液からＯＨラジカルを発生させたり、光触媒含有層の存在しない接水表面に付着している前記殺菌洗浄液に直接作用してＯＨラジカルを発生させたりすることができる。更に、用いる紫外線の波長によっては、雰囲気の紫外線殺菌を行うことも可能となる。
【００３５】
この時、接水表面上でＯＨラジカルを発生させることにより、殺菌洗浄の対象となる表面上において確実に高濃度でＯＨラジカルを存在させ、これを利用することができる。この点は、雰囲気中を漂う殺菌洗浄液のミストに直接紫外線を照射することによってＯＨラジカルを発生させて、これを接表面に付着させた場合には、ＯＨラジカルの寿命は極めて短いことに起因して、表面ＯＨラジカル濃度を高くすることが困難であることと対照的な本発明の特徴点の一つとなっている。
【００３６】
このように、本発明の物品は、（Ａ）水の共存下における紫外線照射によってＯＨラジカルを生成する物質又はイオンが溶解した水溶液（該水溶液は、殆どが光触媒作用によってもＯＨラジカルを発生させることができる水溶液でもある）からなる殺菌洗浄液を使用する点、（Ｂ）接水表面に光触媒を存在させ、当該光触媒が存在する接水表面上で光触媒作用により前記殺菌洗浄液からＯＨラジカルを発生させる点、（Ｃ）上記光触媒を接水表面に存在させる方法として光触媒含有層の形成という方法を採用し、光触媒を励起（活性化）させるための紫外線を、光触媒含有層の（非露出面又は裏面）から照射するようにした点、に大きな特徴がある。また、上記（Ｃ）の特徴によると関連して、（Ｄ）光触媒含有層の（非露出面又は裏面）に向けて出射された紫外線、具体的には、光触媒含有層を透過した紫外線、又は光触媒含有層を透過せずに、そのまま出射された紫外線を、他の場所に配置された光触媒含有層の露出表面や、その上に存在する前記殺菌洗浄に照射するようにした点にも特徴を有する。
【００３７】
本発明で使用する殺菌洗浄液は、水の共存下に紫外線を照射させることによってヒドロキシルラジカル（ＯＨラジカル）を生成する物質又はイオンが溶解した水溶液からなるものであれば特に限定されない。上記水溶液に紫外線を照射した場合には、前記物質又はイオンが周囲の水を反応してＯＨラジカルを発生させるが、光触媒は、紫外線と同様に作用してこのような反応を促進するので、前記物質又はイオンの種類によって程度の差はあるものの、上記水溶液の多くは光触媒作用によってもＯＨラジカルを発生させることができる。
【００３８】
水の共存下における紫外線照射によってＯＨラジカルを生成する物質又はイオンとしては、このような機能が知られている物質又はイオンが特に限定されず使用できる。これら物質又はイオンとしては、硝酸イオン、亜硝酸イオン、ウレタン化合物、セルロース誘導体、過酸化水素、オゾン等が挙げられる。これらの中でも、取扱いの容易さ及びＯＨラジカル発生効率の観点から、硝酸イオン、亜硝酸イオン及び過酸化水素から選ばれる少なくとも１種であることが好ましく、硝酸イオン及び／又は亜硝酸イオンであるか、又は過酸化水素であることがより好ましい。さらに、光触媒作用によってＯＨラジカルを発生させる効果が高く、また、例えばトイレ装置の便器本体内に収納可能な装置で製造することができ、水や空気以外の原料補給が特に必要ないという理由、及び殺菌洗浄液をノズルから噴射又は噴霧する場合においてノズル詰まりの原因となる、乾燥した時に析出するような塩類を含まなくて済む、という理由から、殺菌洗浄液としては過酸化水素水を使用することが最も好ましい。
【００３９】
上記殺菌洗浄液における“水の共存下における紫外線照射によってＯＨラジカルを生成する物質又はイオン”の濃度は、高いほどＯＨラジカルは生成し易いが、高すぎると折角生成したＯＨラジカルどうしが反応して消滅するため効率的ではなく、また、取扱も難しくなる。したがって、前記物質又はイオンの濃度は、０．０１ｍＭ〜１０Ｍ、特に０．０５ｍＭ〜５Ｍであることが好ましく、０．１ｍＭ〜１Ｍであることが最も好ましい。なお、ここでＭは（ｍｏｌ／リットル）を表す。
【００４０】
また安全性の観点から、前記殺菌洗浄液は、オゾンを実質的に含まないことが好ましい。ここで、実質的に含まないとは、オゾンを積極的に添加しないことを意味し、不純物としての不可避的な混入は許容する。不純物として不可避的に混入するときの濃度は低ければ低いほど良いが、通常、質量基準で１ｐｐｍ以下、好ましくは０．１ｐｐｍ以下、最も好ましくは０．０１ｐｐｍ以下である。
【００４１】
前記殺菌洗浄液として過酸化水素水を使用する場合には、消毒液などとして市販されている過酸化水素をそのまま又は水で希釈して使用してもよいし、過酸化水素水製造装置を本発明の物品の内部に配置し、これを用いて、水道水あるいはこれをイオン交換樹脂で処理したイオン交換水などを原料として過酸化水素水を製造し、それをそのまま又は必要に応じて希釈して使用してもよい。
【００４２】
過酸化水素水製造装置としては、特許文献８記載されているような、「水素イオン伝導性を有する電解質膜である高分子電解質膜、当該高分子電解質膜を挟んで一方の面に接するように配設される陽極電極、他方の面に接するように配設される陰極電極で構成される電解セルを備え、前記陽極電極には陽極端子が、前記陰極電極には陰極端子が夫々取付けられており、前記高分子電解質膜、前記陽極電極および前記陰極電極は水密シートを介してネジにより固定されており、前記電解セル陽極側には陽極貯水部が、陰極側には陰極貯水部が夫々設けられている、過酸化水素製造装置」及び特開２００８−８１７６０号公報に記載されているような「水素イオン伝導性を有する電解質膜と前記電解質膜の第１の面に接して配置された陽極電極と前記電解質膜の第２の面に接して配置された陰極電極とにより構成される電解セルと、前記陽極電極に水を供給する手段と、前記陰極電極に供給する酸素含有ガスおよび水のうち少なくとも酸素含有ガスを供給する手段と、前記陰極電極で発生するガスと液体を分離する気液分離手段と、前記気液分離手段により分離されるガスを前記陽極電極に供給するガス供給手段と、前記陽極電極と前記陰極電極に直流電圧を印加する電源と、を備えたことを特徴とする過酸化水素製造装置」などの、コンパクト化が可能な過酸化水素製造装置が特に制限なく使用できる。
【００４３】
本発明で使用する殺菌洗浄液供給手段は、前記殺菌洗浄液を前記接水表面の第一の領域の露出表面及び前記第二の領域の露出表面に付着させることができるものであれば特に限定されない。通常は、殺菌洗浄液用ポンプと、配管と、ノズルと、を有し、殺菌洗浄液用タンクに蓄えられた殺菌洗浄液をポンプにより圧送してノズルから前記接水表面の表面に供給する。ノズルとしては、殺菌洗浄液を前記表面に接触するようにして供給できるものであれば特に限定されず、たとえばミストノズルやスプレイノズルなどが適用できる。（１）前記殺菌洗浄液が前記表面と接触しながら流動するようにして供給を行う場合には、スプレイノズルが、（２）前記殺菌洗浄液が前記表面と接触しながら保持されるようにして供給を行う場合には、ミストノズルが、夫々好適に使用される。
【００４４】
本発明の物品における紫外線出射手段は、前記光触媒含有層に含まれる光触媒を励起する紫外線を出射可能な紫外線出射面を有するものであれば特に限定されないが、通常、紫外線光源を有し、当該紫外線光源から出射された紫外線を前記紫外線出射面から出射するものが使用される。このような紫外線出射手段としては、（Ｉ−１）紫外線光源と、紫外線を透過する紫外線透過性部材と、を有し、前記紫外線透過性部材の後方（裏面側）に前記紫外線光源を配置し、当該紫外線光源から出射された紫外線を、前記紫外線透過性部材を透過させ、その表面から出射するようにしたもの、（Ｉ−２）紫外線光源を任意の場所に設置して、当該紫外線光源から出射された紫外線を光ファイバなどの光伝送手段を用いて伝送し、前記紫外線透過性部材の裏面と対向するようにして設置された紫外線出射用光学部材（前記光伝送手段と光学的に接続されている。）から出射することが好ましい。
【００４５】
ここで、紫外線出射用光学部材としては、光ファイバ用コリメータ、レンズ拡散板、拡散レンズ又は導光板が好適に使用される。照射領域を広くすることができるという理由からはレンズ拡散板、拡散レンズ又は導光板であることが特に好ましい。ここで、光ファイバコリメータとは、光ファイバからの出射光をコリメート光（平行光）とする部材であり、光ファイバ用フェルールに非球面レンズを組み込んだコネクタタイプのものが好適に使用できる。レンズ拡散板（Light Shaping Diffuser）とは、拡散フィルム、拡散フィルタ又は拡散シートとも呼ばれるものであり、表面にランダムに形成される微小なレンズの作用等により、光を円形や楕円形などに拡散整形して均一な照射を可能にするものである。また、拡散レンズとしては株式会社エンプラス社製Light Enhancer Cap（登録商標）のようなものが好適に使用できる。さらに導光板としては、たとえば特開２００６−２３７５６３号公報に開示されている面発光デバイスのようなものが好適に使用できる。
【００４６】
前記（Ｉ−１）及び（Ｉ−２）の場合において使用される紫外線透過性部材としては、紫外線透過性物質からなる曲面を有していてもよい板状、シート状又はフィルム状の紫外線透過性部材が好適に使用される。そして紫外線透過性部材の一方の主表面が紫外線出射面となり、他方の主表面側から紫外線光源から出射された紫外線が照射されることになる。
【００４７】
紫外線透過性部材を構成する紫外線透過性物質としては、使用する紫外線に応じて、紫外線透過性部材に要求される厚みであっても紫外線を透過できる光透過性を有する物質であれば特に限定されず、サファイア、天然又は合成石英、フッ化カルシウム、フッ化マグネシウム、ガラスなどの無機材料、ＰＦＡ、ＦＥＰ、ＥＴＦＥ、ＰＣＴＦＥなどのフッ素系樹脂、ポリエチレン、ポリプロピレン、ＰＶＣ、ポリカーボネートなどの紫外線透過性樹脂、およびこれらの複合材料が使用できる。これらの中でも成形加工が容易であるという理由から、ガラス又は紫外線透過性樹脂を使用することが好ましい。なお、紫外線透過性部材を紫外線透過性樹脂で構成する場合には、光触媒作用による劣化を防止するために、表面にガラスなどの紫外線透過性無機物質でコーティングすることが好ましい。
【００４８】
前記（Ｉ−１）及び（Ｉ−２）の場合において、紫外線光源（Ｉ−１の場合）および紫外線出射用光学部材（Ｉ−２の場合）は、前記紫外線透過部材の裏側（他方の主表面側）後方に固定して配置してもよく、また、移動可能に配置してもよい。固定して配置する場合には、前記紫外線透過部材の裏面全体に紫外線を照射できるように複数の紫外線光源又は紫外線出射用光学部材を整列配置することが好ましい。また、移動可能に配置する場合には、移動可能な光源等用の基体上又は筐体内にＵＶ−ＬＥＤなどの紫外線光源（発光部材）又は紫外線出射用光学部材を配置してモジュール化し、上記光源等用の基体又は筐体を移動させながら紫外線を出射し、出射された紫外線が前記紫外線透過部材の裏面の全面又は略全面を走査（scan）する、或は紫外線照射領域が裏面の全面又は略全面をなぞりながら移動するようにすることが好ましい。紫外線光源や紫外線出射用光学部材の数を少なくすることができるという観点からは、これらを移動可能に配置することが好ましい。
【００４９】
また、紫外線出射手段としては、（ＩＩ−１）紫外線光源と、導光板、導光シート又は導光フィルムと、を有し、紫外線光源を導光板等の側端部に配して、導光板等の側端面より紫外線を入射させて光出射面（紫外線出射面）から出射するようにしたもの、（ＩＩ−２）紫外線光源と、光ファイバなどの光伝送手段と、導光板、導光シート又は導光フィルムと、を有し、前記紫外線光源を任意の場所に設置して前記光伝送手段により紫外線を導いて導光板等の側端面より入射させて光出射面（紫外線出射面）から出射するようにしたものを使用してもよい。
【００５０】
紫外線光源としては、紫外線（以下、紫外線をＵＶと略記することもある。）光源として良く知られている水銀ランプやエキシマランプを使用することもできるが、小型、省電力、長寿命、水銀を使用しない、瞬時の点灯・消灯が可能である、といった理由から紫外線発光ダイオード（ＵＶ−ＬＥＤ）を使用することが好ましい。
【００５１】
ところで、前記したように、紫外線によって励起される光触媒を含む層に対する紫外線透過性や紫外線そのものによる殺菌効果については紫外線の波長依存性があることが知られている。すなわち、波長の長い紫外線ほど、裏面（背面）照射したときに光触媒層の露出表面を活性化し易く（非特許文献１参照。）、又２６５ｎｍ周辺の波長領域の紫外線は殺菌効果が高い。このため、光触媒含有層に対して裏面（背面）から紫外線を照射して光触媒層の表面（露出表面）を確実に励起するという観点からすると、長波長、たとえば２８０ｎｍを越え４００ｎｍ以下、特に２９０ｎｍ以上３９０ｎｍ以下の波長領域の紫外線を照射することが好ましい。一方、光触媒含有層に紫外線透過性を持たせて、透過した紫外線を雰囲気の紫外線殺菌や（他の部分の）光触媒含有層への露出面からの照射による活性化に使用する場合は、２４０ｎｍ以上２８０ｎｍ以下、特に２５０ｎｍ以上２７０ｎｍ以下の波長領域の紫外線を照射することが好ましい。さらに、上記両方の効果を得るためには、２８０ｎｍを越え４００ｎｍ以下の波長領域の紫外線と２４０ｎｍ以上２８０ｎｍ以下の波長領域の紫外線とを同時に照射することが好ましい。このような理由から、ＵＶ−ＬＥＤを使用する場合には、２４０ｎｍ以上２８０ｎｍ以下の波長領域にピークを有する紫外線を出射するＵＶ−ＬＥＤと、２８０ｎｍを越え４００ｎｍ以下の波長領域にピークを有する紫外線を出射するＵＶ−ＬＥＤと、を併用することが好ましい。また、安全性のためにオゾン発生を防止するという観点から、照射する紫外線は２００ｎｍ未満の波長を有する紫外線を含まないことが好ましい。
【００５２】
本発明の物品で使用する前記接水部材の接水表面は、前記紫外線出射手段の紫外線出射面に上に配置された前記第一の光触媒含有層の露出表面からなる第一の領域を含んでなる。
【００５３】
ここで、前記第一の光触媒含有層としては、光触媒物質のみからなる薄膜層や有機及び／又は無機の基材中に光触媒物質の微粒子が分散した構造を有する薄膜層が好適に採用される。光触媒物質としては光触媒作用を示すことが知られている物質、たとえばＴｉＯ２、ＳｒＴｉＯ２、ＺｎＯ、ＣｄＳ，ＳｎＯ２、ＷＯ３等が特に制限なく使用できるが、光触媒効果の高さの観点から、ＴｉＯ２又はＴｉＯ２系光触媒物質を使用することが好ましい。
【００５４】
光触媒物質のみからなる薄膜層は光触媒物質を用いたスパッタリング法や蒸着法、更にはＣＶＤ方などにより形成することができる。この場合における当該薄膜層の一般的な膜厚は１００ｎｍ〜１０μｍであり、好ましい膜厚は１５０ｎｍ〜５μｍである。
【００５５】
一方、有機又は無機の基材中に光触媒物質の微粒子が分散した構造を有する薄膜層は、有機及び／又は無機バインダー中に光触媒物質の微粒子が分散した所謂光触媒コーティング剤を塗布して硬化させることにより形成することができる。この場合における当該薄膜層の一般的な膜厚は０．３〜５０μｍであり、好ましい膜厚は０．５〜１０μｍである。また、上記有機又は無機の基材は、通常、上記光触媒コーティング剤のバインダー成分の硬化体であり、このような基材中に分散する光触媒物質の濃度は、質量基準で０．５〜２０質量％、特に１〜１５質量％とすることが好ましい。また、光触媒物質の微粒子の粒子径は透過型電子顕微鏡撮影の画像の画像解析によって求められる１次粒子が５ｎｍ〜１μｍの範囲であればよいが、光触媒機能の高さの観点から上記１次粒子の粒子径が５〜５０ｎｍであることが好ましい。
【００５６】
前記したように、第一の光触媒含有層が紫外線により励起され、且つ紫外線透過性を有する場合には、裏面（背面）照射により第一の光触媒含有層を活性化させることができるばかりでなく、第一の紫外線透過性光触媒含有層を透過した紫外線（以下、「透過紫外線」ともいう。）を周辺雰囲気の紫外線殺菌や（他の部分の）光触媒含有層への露出面からの照射による活性化に利用することができる。このようなメリットが得られるという理由から、第一の光触媒含有層の少なくとも一部は紫外線透過性を有することが好ましい。第一の光触媒含有層に紫外線透過性を持たせるために、上記有機又は無機の基材、特に第一の領域の光触媒含有層における基材は、紫外線透過性を有する物質で構成されることが好ましく、光触媒含有層形成の容易さから、「その硬化体が紫外線及び前記光触媒物質の紫外線に対して透過性を有するバインダー」の硬化体であることが好ましい。上記バインダーとしては、ケイ酸塩系バインダー、無機コロイド系バインダー、金属アルコキシド系バインダー等の無機バインダー、フッ素樹脂系バインダー等の有機系バインダー又はこれらの組み合わせを使用することができる。
【００５７】
紫外線透過性の更に高くなるという理由から、前記第一の光触媒含有層は、前記特許文献６に開示されているような、「光触媒物質と、その硬化体が紫外線及び該光触媒物質の紫外線に対して透過性を有するバインダーとを含んでなる硬化性組成物を硬化させて得た硬化体を粉砕して得た複合光触媒粒子と、その硬化体が紫外線及び前記光触媒物質の紫外線に対して透過性を有するバインダーと、を含有してなることを特徴とする光触媒コーティング用組成物」の硬化体からなることが好ましい。
【００５８】
本発明においては、前記第一の光触媒含有層が紫外線透過性を有しない場合でも紫外線出射面から出射された紫外線を周辺雰囲気の紫外線殺菌や（他の部分の）光触媒含有層への露出面からの照射による活性化に利用することもできる。すなわち、紫外線不透過性の第一の光触媒含有層を紫外線出射面上に配置する場合に、紫外線出射面の全面を前記第一の光触媒含有層で被覆するように配置するのではなく、紫外線出射面の一部が露出するようにすることにより、当該露出部から外部に出射された紫外線（以下、「非透過紫外線」ともいう。）を上記目的に使用することができる。第一の光触媒含有層による効果と、非透過紫外線による前記効果と、がムラなく均一に得られるという理由から、前記特許文献５に示されるように、紫外線出射面上に互いに独立した複数の第一の光触媒含有層が実質的に均一に分散するように形成するか、又は第一の光触媒含有層を打抜網状に、打抜き部が前記有効面上に実質的に均一に分散するように形成するかして、紫外線出射面の全面積に対する第一の光触媒含有層の総面積の割合（％）で定義される被覆率が２〜９５％となるようにすることが好ましい。このとき、表面を凹凸のない滑らかな表面とするために第一の光触媒含有層が形成されていない部分に、紫外線透過性の層を、第一の光触媒含有層と同じ厚さで形成してもよい。
【００５９】
前記透過紫外線及び非透過紫外線は、次のような効果をもたらす。第一に、裏面（背面）照射による第一の光触媒含有層の活性化が不十分である場合、別の位置から出射された透過紫外線（透過紫外線）及び非透過紫外線（非透過紫外線）が当該第一の光触媒含有層の露出面側から照射されることにより、高い活性化状態を得ることが可能になるという効果がもたらされる。第二に、対向する位置に紫外線光源（紫外線光源）を設置することができず、また、裏面（背面）に紫外線出射面（紫外線出射面）を配置することができないような接水表面、より具体的には、接水表面と対向する空間が狭小であるか又は物品等の機能を果たすために、外部光源の設置が不可能であり、且つ接水表面が存在する本体部分の肉厚が薄いため内部光源の設置が不可能であるような接水表面、の上に形成された光触媒含有層（以下、「表裏照射困難光触媒含有層」ともいう。）の活性化が可能になるという効果がもたらされる。
【００６０】
本発明の物品又は部材においては、上記第一の効果が得られ易いという理由から、前記第一の領域における第一の光触媒含有層の少なくとも一部は、前記紫外線出射面から出射される紫外線の一部を透過する紫外線透過性光触媒含有層であり、当該紫外線透過性光触媒含有層は、曲面形状を有するか又は屈曲部を有し、当該紫外線透過性光触媒含有層の一部どうしが、（真正面又は斜め方向に）互いに向かい合うようなっており、当該紫外線透過性光触媒含有層を透過した紫外線（透過紫外線）、又は前記紫外線出射面から出射され、紫外線透過性光触媒含有層を透過せずに、そのまま出射された紫外線（非透過紫外線）を、前記第一の領域における（互いに向かい合った）第一の光触媒含有層の露出表面に（相互に）照射できるようになっていることが好ましい。
【００６１】
また、前記第二の効果が得られ易いという理由から、前記接水部材の接水表面は、紫外線を出射しない面上に配置された第二の光触媒含有層の露出表面で構成される第二の領域を更に有し、前記透過紫外線又は非透過紫外線を、前記第二の領域の第二の光触媒含有層の少なくとも一部の露出面に照射できるようになっているものであることが好ましい。
【００６２】
水取り扱い物品に含まれる接水部材においては、接水部材の形状によって、或は複数の接水部材が組み合わせて使用される場合の組み合わせの状態によっては、これら接水部材に紫外線透過性部材を適用できず、前記接水表面には、紫外線不透過物質からなる第二の領域が存在することが避けられないことが多い。
【００６３】
本発明の物品では、前記第二の効果により、第二の領域の表面にも紫外線を照射することができる。このとき、出射された紫外線の指向角や散乱による影響により、通常は第一の領域の面積より広い面積の第二の領域の表面に紫外線を照射することができる。また、紫外線透過領域に紫外線拡散機能を持たせて、照射可能領域をさらに広げることもできる。更に、殺菌洗浄液として過酸化水素水など、それ自体で殺菌洗浄効果を発揮するものを用いることによって紫外線が照射されない部分の洗浄殺菌も行うこともできる。このような理由から、必ずしも前記接水表面の全体を第一の紫外線透過領域とする必要はない。
【００６４】
確実に紫外線照射できる接水表面の面積を可及的に広くしたいという観点からすると、第一の領域は広ければ広いほど好ましいが、前記したような状況があるので、少なくとも汚れ物質が付着しやすい領域、汚れ物質が蓄積しやすい領域、又は狭小空間や物品の内部にあって、マニュアル（人手）による清掃が困難な領域に紫外線が照射できるように第一の領域を適宜決定すればよい。物品の種類にもよるが、接水表面全体に占めるこのような領域の面積の割合はさほど大きくない場合が多く、また、第一の領域とすることが不可能な領域も限られているので、本発明の物品では、紫外線の出射強度や第一の領域と第二の領域の位置関係を配慮することにより、セルフクリーニングにより十分な殺菌洗浄効果を得ることができる。
【００６５】
以下、図面を参照して本発明の物品について詳しく説明する。
【００６６】
図１に示す本発明の物品であるトイレ装置１００は、基本的には特許文献９（特開１０−２３７９２８号公報）の図１に記載されているトイレ装置と同様の構造を有する。すなわち、トイレ装置１００は、サイホンゼット式の水洗トイレ装置であり、ボウル部１１と給水源となるロータンク（図示せず）とを一体成形して便器本体１０が構成されると共に、前記ボウル部１１の下部には排水路３０が一体に成形されている。便器本体１０は、ゼット導水路２０と、リム通水路４０と、給水室５０と、を有してしている。ここで、前記ゼット導水路２０とは、前記ボウル部１１の底部に開口したゼット穴２１から前記排水路３０を指向して洗浄水を噴射させるもので、ゼット導水路入口２２からゼット穴２１にかけて、ボウル部１１の外周面に沿って弧状に形成されているものである。また、前記リム通水路４０とは、前記ボウル部１１の上縁部に形成したリム１２の下面に多数穿孔したリム射水穴４１からボウル１１の内側面に沿って洗浄水を流下させるものである。
【００６７】
前記給水室５０は、前記ロータンクから供給された洗浄水を前記ゼット導水路２０及びリム通水路４０に供給するためのものであり、上部にリム通水路入口４２が、下部にゼット導水路入口２２が形成されている。そして、前記給水室５０内には、洗浄水をリム通水路入口４２に向けて偏向させる水流偏向手段６０が設けられており、給水室内に供給された洗浄水の一部を、ゼット導水路入口に流れて行くのと略同じタイミングでリム通水路に配水することができるようになっている。すなわち、前記給水室５０は洗浄水供給口側の上部空間からゼット導水路入口２２側の下部空間にかけて漸次絞られた下降通路をなし、給水室５０内に供給された洗浄水は、前記ゼット導水路入口２２に向かって勢いよく流れ落ちてゼット導水路２０に配水され、ゼット穴２１から排水路３０の入口に向かって直接的に噴出される。このとき、洗浄水は給水室５０内に供給された水の一部は、前記リム通水路入口４２からリム通水路４０へ供給され、リム射水穴４１から洗浄水が流下し、ボウル１１の内側面を洗浄する。
【００６８】
トイレ装置１００では、リム１２の下面およびボウル部１１内側の露出面が接水表面１４となっている。図１の右側にリム１２周辺の部分拡大図を示しているが、リム１２のリム射水穴４１の周縁を含む下側の隔壁は紫外線透過部材１３で構成されており、その露出面上に第一の光触媒含有層１５が形成されている。そして、当該第一の光触媒含有層１５の露出表面が第一の領域の露出面（表面）１６となっている。すなわち、ボウル部開口周縁部にリング状に設けられたリム１２の下面のほとんどが第一の光触媒含有層１５の露出表面からなる第一の領域の露出面（表面）１６となっている。また、リム１２とボウル部１１とが接合するコーナー部から下側のボウル部本体の内側露出面上には第二の第二の光触媒含有層１７が形成され、その露出表面が第二の領域の露出面１８（接触水表面１４の一部でもある）となっている。そして紫外線透過部材１３の裏面側には紫外線光源７０が配置され、当該裏面に向けて紫外線を照射できるようになっている。なお、紫外線透過部材１３においては、リム射水穴４１に相当する部分に貫通孔が設けられている。
【００６９】
本発明のトイレ装置１００では、殺菌洗浄液として、過酸化水素水８１を使用し、殺菌洗浄液供給手段８０によって、これを第一の領域の露出面（表面）１６及び第二の領域の露出面１８を含む接水表面１４の表面に付着させることができるようになっている。
【００７０】
図１では、簡略化のために、殺菌洗浄液供給手段８０としては殺菌洗浄液用ノズル８６のみを示し、その他の部分は省略している。殺菌洗浄液用ノズル８６は、リム１２とボウル部１１の縁とが結合する楕円リング状のコーナー部に、１つ又は当該楕円リング状のコーナー部の周に沿って複数配置され、そこから殺菌洗浄液を噴霧することにより、前記第一の領域の露出面１６の表面及び前記第二の領域の露出面１８に殺菌洗浄液を付着させる。殺菌洗浄液供給手段８０は、予め外部で調製された殺菌洗浄液、たとえば消毒液などとして市販されている過酸化水素をそのまま又は水で希釈して殺菌用洗浄液タンク（図示せず）に供給し、殺菌洗浄液用ポンプを用いて殺菌洗浄液用ノズル８６から噴霧するようにしたものであってもよい。また、図２に示す、過酸化水素水製造装置８２を有する殺菌洗浄液供給手段８０を用いて製造した過酸化水素水８１を用いたものとしてもよい。なお、図２では、便宜的に２つの殺菌洗浄液用ノズル８６、８６´を有する殺菌洗浄液供給手段８０を示している。
【００７１】
過酸化水素水製造装置８２としては、例えば、図２に示すような前記特許文献８に開示されているのと同様の構造を有する過酸化水素水製造装置、すなわち「水素イオン伝導性を有する電解質膜である高分子電解質膜８２ｂ、当該高分子電解質膜８２ｂを挟んで一方の面に接するように配設される陽極電極（図示せず）、他方の面に接するように配設される陰極電極（図示せず）で構成される電解セル８２ａを備え、前記陽極電極には陽極端子（図示せず）が、前記陰極電極には陰極端子（図示せず）が夫々取付けられており、前記高分子電解質膜８２ｂ、前記陽極電極および前記陰極電極は水密シート（図示せず）を介してネジにより固定されており、前記電解セル陽極側には陽極貯水部８２ｃが、陰極側には陰極貯水部８２ｄが夫々設けられている、過酸化水素製造装置８２」を使用することができる。
【００７２】
特許文献８によれば、上記過酸化水素製造装置８２では、次のようにして過酸化水素水８１が製造される。すなわち、陽極端子と陰極端子に直流電源が接続されて、陽陰極間に連続的もしくは断続的に１．５〜１０Ｖの直流電圧を印加しながら電解セル８２ａが作動させられる。このとき陽極貯蔵部８２ｃに集められた水は、陽極電極を通過して高分子電解質膜８２ｂに接触する。そして、水は高分子電解質膜８２ｂに吸収され、高分子電解質膜８２ｂ内を拡散し、保持される。陽極電極では、供給された水が下記反応式（１）で示すように酸素（Ｏ２）と水素イオン（Ｈ＋）とに分けられる。直流電源により電圧を印加すると、電流が流れ、陽極電極の表面から酸素分子が発生する。高分子電解質膜８２ｂは、気体を透過せず、電気絶縁性があり、水および水素イオン（Ｈ＋）のみを伝導する性質を有するので、陰極側から空気などの酸素（Ｏ２）を含有するガスおよび水（Ｈ２Ｏ）が供給されると、陰極電極上で高分子電解質膜８２ｂとの界面に達した陽極電極から伝導した水素イオン（Ｈ＋）、および水素イオン（Ｈ＋）に起因する還元性物質と酸素ガス（Ｏ２）が反応し、下記反応式（２）で示す還元反応によって過酸化水素（Ｈ２Ｏ２）が発生する。この過酸化水素水８１は、陰極貯水部８２ｄに溜められ時間をかけるほど濃度が高まっていく。
【００７３】
陽極： ２Ｈ２Ｏ → Ｏ２＋ ４Ｈ＋ ＋ ４ｅ−             （１）
陰極： Ｏ２ ＋ ２Ｈ＋ ＋ ２ｅ− → Ｈ２Ｏ２             （２）
過酸化水素水の原料水としては水道水が使用できる。原料となる水道水としては、例えばロータンク（図示せず）に貯留された水を使用することができ、ロータンクに流路切り替えバルブを介して接続する原料水供給用配管８７を新たに設け、貯留された水道水を、例えば便器本体１０内のデッドスペースに配置された過酸化水素水製造装置８２の陽極貯水部８２ｃに供給すればよい。その後、過酸化水素水製造装置８２を稼働させて、陰極貯水部８２ｄに製造された過酸化水素水８１が溜められる。この時、水道水の供給量および過酸化水素水製造装置の運転条件等は、図示しない制御手段により制御され、所定時間連続して過酸化水素水が製造できるようになっている。このようにして陰極貯水部８２ｄに溜められた過酸化水素水８１は、そのまま又は一旦殺菌洗浄液タンク（図示せず）に溜められてから殺菌洗浄液用ポンプ８３を起動して殺菌洗浄液用供給管８４内を圧送される。殺菌洗浄液用供給管８４はフレキシブルな耐圧性のチューブからなり、他の部材と干渉しないようにして、前記殺菌洗浄液用ノズル８６、８６´につながっており、そこから過酸化水素水８１が噴霧される。この時の噴霧量（噴霧速度）は、殺菌洗浄液用ノズル８６、８６´より上流側に配置された流量調節バルブ８５、８５´によって制御される。かくして、具体的には前記第一の領域の露出面１６の表面及び前記第二の領域の露出面１８を含む接水表面１４に過酸化水素水８１（殺菌洗浄液）が均一に付着される。
【００７４】
このようにして殺菌洗浄の対象である、リム１２の下面における前記第一の領域の露出面（表面）１６及びボウル部１１における前記第二の領域の露出面１８の表面に過酸化水素水８１（殺菌洗浄液）を均一に付着させた状態で、前記紫外線光源７０を点燈し、紫外線を出射することにより、セルフクリーニングが開始されることになる。すなわち、図１に示されるように、紫外線光源７０を点灯することにより、紫外線は、紫外線透過部材１３の裏面に向けられて出射される。そして、出射された紫外線は、紫外線透過部材１３を透過して、前記第一の領域の露出面（表面）１６の表面に付着した過酸化水素水２１（殺菌洗浄液）を分解してＯＨラジカルを発生させると共に、その一部は前記第二の領域の露出面１８に照射され第二の光触媒含有層１７に含まれる光触媒を励起すると共に当該第二の領域の露出面１８に付着した過酸化水素水２１（殺菌洗浄液）に照射され、光触媒作用及び／又は紫外線照射による光反応により、これを分解してＯＨラジカルを発生させる。このようにして発生したＯＨラジカルの酸化力により前記露出面の表面に付着した汚れ物質が分解される同時に殺菌が行われることになる。
【００７５】
なお、紫外線光源７０は、図３に示すようなＬＥＤモジュール７１０となっている。ここで、ＬＥＤモジュールとは、一般に、ＬＥＤパッケージを基板などに実装するか、又は複数のＬＥＤ（発光ダイオード）を平面的若しくは立体的に配列して、機械的、電気的制御回路若しくはその一部、及び光学的に多数の要素で構成して、一つのユニットとして取り扱えるようにしたもの、またはその集合体のことを意味する。
【００７６】
図３では、下方にＬＥＤモジュール７１０をリム部１２の下面を下側から見るようにして見た時の正面図（概略図）を、上方にその部分拡大図を示しているが、下方の図に示されるように、ＬＥＤモジュール７１０では、リム１２の底面とほぼ同様の形状（楕円リング形状）を有する紫外線透過性部材１３の裏面のほぼ全体をカバーするような紫外線出射用紫外線透過性部材７１４で開口部が塞がれた断面コの字状の紫外線光源ユニット筐体７１２の内部にＵＶ−ＬＥＤ７１３を横に複数列並べ、ＵＶ−ＬＥＤの光軸の角度が各列で異なるようにして収容されている。こうすることにより、紫外線透過部材１３の裏面全体に紫外線を照射できるようになっている。なお、上記ＬＥＤモジュール７１０においては、リム射水穴４１に相当する部分に貫通孔が設けられている。
【００７７】
紫外線光源７０としては、図４に示すような基本構造を有するＬＥＤモジュール７１０´を複数並べて使用することもできる。図４の下方には、リム１２に配置された紫外線透過部材１３の裏面上にＬＥＤモジュール７１０´を配置しときの様子を示す概略図を示し、上方に各ＬＥＤモジュール７１０´の模式図を示した。図４に上方に示されるように、ＬＥＤモジュール７１０´は、導光板を用いたモジュールであり、リム１２の底面とほぼ同様の形状（楕円リング形状）を幾つかに分割したときの、それぞれの周縁部に相当するような形状を有する板状基体７１５上に複数のＵＶ−ＬＥＤ７１３を一列に配置し、その周囲を保護枠７１６で囲ったユニットを縦長の導光板７１７の側端面に配置して、前記ＵＶ−ＬＥＤ７１３から出射された紫外線を導光板７１７の光出射面７１７ａから出射するようにしたものである。図４上方の図では、便宜的に正面から見た状態を長方形で表しているが、実際には図４の下方に示されるように、配置された場所に応じて、それぞれが曲率の異なる弓型に湾曲した形状を有する。また、図４下方に示されるように、リム射水穴４１を避けるように、１２個のＬＥＤモジュール７１０´が配設されている。
【００７８】
本発明の物品であるトイレ装置１００においては、図１の部分拡大図に示されるように、前記第一の領域では、その下地となる紫外線透過部材１３の裏面（背面）側から紫外線が照射され、紫外線透過部材１３を透過した透過紫外線が前記第一の領域の露出面（表面）１６の表面に付着した過酸化水素水８１（殺菌洗浄液）に照射される。また、透過紫外線（図中、点線矢印で示される）は、リム１２とボウル部１１とが接合するコーナー部から下側のボウル部の内表面（前記第二の領域の露出面１８の表面）に照射され、第二の光触媒含有層１７に含まれる光触媒を励起すると共に当該第二の領域の露出面１８に付着した過酸化水素水８１（殺菌洗浄液）に照射される。
【００７９】
部分拡大図に示されるような、前記コーナー部は、一般に、狭小な隙間空間であり、外から見えにくく、また、ブラシなどが届きにくいため清掃が困難な場所である。そのため、カビなどが成長して頑固な汚れ（除去し難い汚れ）となり易く、これを人手による清掃で取り除こうとするときには、ブラシで激しく擦って表面を傷めてしまうことが多い。これに対し、本発明のトイレ装置では、このような場所について、ＯＨラジカルの高い酸化力を利用した高度なセルフクリーニングを確実に行うことができる。しかも、第二の領域における透過紫外線の照射領域は比較的広く、たとえば紫外線透過部材１３に光拡散機能を持たせることにより、その領域を更に広げ、上記したような機構によるセルフクリーニングの適用範囲を更に広げることもできる。また、透過紫外線が到達しない場所があっても、そこでは過酸化水素水が本来有する殺菌・洗浄力による浄化を行うことができる。したがって、たとえば、センシング技術を用いて人がトイレ内にいないことを検知して自動的に所定時間紫外線源を点灯するようにする様にしたり、毎日、深夜に定期的に所定時間紫外線源を点灯させたりすることによって、当該部分を常に清浄に保つことが可能である。そして、仮に汚れが溜まったとしても、当該汚れはＯＨラジカルの作用による分解を受け、低分子化及び親水化しているため、例えばスポンジなどの柔らかい清掃器具を用いても簡単に除去することができる。したがって、物品や部材の表面を傷めることが無い。
【００８０】
以上、トイレ装置を例に本発明について説明したが、本発明は、これに限定されるものではなく、前記した様々な水取扱物品や部材に適用可能である。たとえば、カビが発生し易く清掃が困難なユニットバスの天井材や壁材に適用すれば、天井の裏側や壁の裏側の活用されていないスペースに紫外線光源を設置できるので、配線の自由度も大きく、室内外観を損なうことが無い。また、これらのスペースは、防水されているので紫外線光源が液体状態の水に触れることが無く、漏電等の危険性を低くすることができる。排水トラップなどにおいても、配管部の外側に紫外線光源を設置することにより、同様の効果を得ることができる。さらに、排水トラップ配管部のように殺菌洗浄の対象となる接水表面が円筒形状を有する接水部材の内表面である場合には、当該接水部材についてその長さ方向に一定の部分全体を、一定の高さを有する円筒形の紫外線透過部材で構成し、その外部に前記高さ実質的に同じ長さ（高さ）有する縦長のＵＶ−ＬＥＤモジュールを配置し、これを円筒の外周に沿って周回移動するようにすることにより、少ないＵＶ−ＬＥＤを用いて効率的に紫外線照射することもできる。
【符号の説明】
【００８１】
１００・・・トイレ装置
１０・・・便器本体
１１・・・ボウル部
１２・・・リム
１３・・・紫外線透過性部材
１４・・・接水表面
１５・・・第一の光触媒含有層
１６・・・第一の領域の露出面
１７・・・第二の光触媒含有層
１８・・・第二の領域の露出面
２０・・・ゼット導水路
２１・・・ゼット穴
２２・・・ゼット導水路入口
３０・・・排水路
４０・・・リム通水路
４１・・・リム射水穴
５０・・・給水室
６０・・・水流偏向手段
７０・・・紫外線光源
７１０、７１０´・・・ＬＥＤモジュール
７１２・・・紫外線光源ユニット筐体
７１３・・・紫外線発光ダイオード（ＵＶ−ＬＥＤ）
７１４・・・紫外線出射用紫外線透過性部材
７１５・・・基体
７１６・・・保護枠
７１７・・・導光板
７１７ａ・・・導光板の光出射面
８０・・・殺菌洗浄液供給手段
８１・・・殺菌洗浄液（過酸化水素水）
８２・・・過酸化水素水製造装置
８２ａ・・・電解セル
８２ｂ・・・高分子電解質膜
８２ｃ・・・陽極貯水部
８２ｄ・・・陰極貯水部
８３・・・殺菌洗浄液用ポンプ
８４・・・殺菌洗浄液用供給管
８５・・・流量調節バルブ
８６・・・殺菌洗浄液用ノズル
８７・・・原料水供給用配管
【図１】
2018193708.tif 000003
【図２】
2018193708.tif 000004
【図３】
2018193708.tif 000005
【図４】
2018193708.tif 000006